(57)【要約】【課題】コスト低減及びメンテナンスの容易化を図るとともに、サイホン現象を短時間で起こり易くすることができるディスポーザを提供すること。【解決手段】厨芥及び水を導入するための導入部を上部に備えるとともに、前記厨芥及び水を排出する排出部を下部側面に備える筐体と、前記筐体の内部空間を前記導入部側に位置する破砕室、及び前記排出部側に位置する排出室に分ける回転板と、前記回転板に回転駆動力を伝達する駆動部と、前記破砕室側に位置する前記回転板の第１表面に設けられたハンマーと、前記排出室側に位置し、且つ前記第１表面の反対側に位置する前記回転板の第２表面に設けられたインペラと、前記回転板の周囲を離間して囲むように前記筐体の内側側面に設けられた環状の固定歯と、前記排出部に設けられ、前記排出室における水の貯留量及び水の排出量を制御する弁と、を有すること。【選択図】図２
2018187571.tif 000002
【特許請求の範囲】
【請求項１】
厨芥及び水を導入するための導入部を上部に備えるとともに、前記厨芥及び水を排出する排出部を下部側面に備える筐体と、
前記筐体の内部空間を前記導入部側に位置する破砕室、及び前記排出部側に位置する排出室に分ける回転板と、
前記回転板に回転駆動力を伝達する駆動部と、
前記破砕室側に位置する前記回転板の第１表面に設けられたハンマーと、
前記排出室側に位置し、且つ前記第１表面の反対側に位置する前記回転板の第２表面に設けられたインペラと、
前記回転板の周囲を離間して囲むように前記筐体の内側側面に設けられた環状の固定歯と、
前記排出部に設けられ、前記排出室における水の貯留量及び水の排出量を制御する弁と、を有するディスポーザ。
【請求項２】
前記弁は、前記排出室における水の貯留量が所定量未満の場合には閉じ、水の貯留量が所定量以上になると、水の貯留量の増加にともなって自動的且つ徐々に開く請求項１に記載のディスポーザ。
【請求項３】
前記排出部は、前記筐体の下部側面に排出口が形成された構造を備え、
前記弁は、前記排出口を開閉するように前記排出口に設けられている請求項１又は２に記載のディスポーザ。
【請求項４】
前記排出部は、前記筐体の下部側面に接続口が形成されるとともに、前記接続口から排出管が延在する構造を備え、
前記弁は、前記排出管の内側側面に設けられている請求項１又は２に記載のディスポーザ。
【請求項５】
厨芥及び水を導入するための導入部を上部に備えるとともに、前記厨芥及び水を水平方向に排出する排出部を下部側面に備える筐体と、
前記筐体の内部空間を前記導入部側に位置する破砕室、及び前記排出部側に位置する排出室に分ける回転板と、
前記回転板に回転駆動力を伝達する駆動部と、
前記破砕室側に位置する前記回転板の第１表面に設けられたハンマーと、
前記排出室側に位置し、且つ前記第１表面の反対側に位置する前記回転板の第２表面に設けられたインペラと、
前記回転板の周囲を離間して囲むように前記筐体の内側側面に設けられた環状の固定歯と、
前記筐体の排出部にその一端が接続された接続管と、
前記接続管の他端に接続された排水トラップと、
前記接続管の内側側面に設けられ、前記排出室における水の貯留量及び水の排出量を制御する弁と、を有する排水システム。
【請求項６】
前記弁は、前記排出室における水の貯留量が所定量未満の場合には閉じ、水の貯留量が所定量以上になると、水の貯留量の増加にともなって自動的且つ徐々に開く請求項５に記載の排水システム。
【請求項７】
ディスポーザ、前記ディスポーザの下流に設けられた排水トラップ、及び前記排水トラップの下流に設けられたサイホン配管を備える排水システムの洗浄方法であって、
前記ディスポーザを構成する筐体の上部に形成された導入部から水を導入する水導入工程と、
前記筐体、前記筐体の内部空間に設けられた回転板、及び前記筐体の下部側面に形成された排出部又は前記排出部と前記排水トラップとの間に設けられた弁によって囲まれた貯留空間に、前記水導入工程において導入した水を貯留する水貯留工程と、
前記回転板を回転させ、前記貯留空間側に位置する回転板の表面に設けられたインペラによって貯留した水を撹拌し、貯留した水に遠心力を加える撹拌工程と、
前記遠心力によって貯留した水を前記排出部、前記トラップ、及び前記サイホン配管を経由して排出する排出工程と、を有する排水システムの洗浄方法。
【請求項８】
前記弁は、前記貯留空間における水の貯留量が所定量未満の場合には閉じ、前記貯留空間における水の貯留量が所定量以上になると、水の貯留量の増加にともなって自動的且つ徐々に開く請求項７に記載の排水システムの洗浄方法。
【発明の詳細な説明】
【技術分野】
【０００１】
本発明は、厨芥を粉砕処理して排出するディスポーザ、ディスポーザを備える排水システム、及び排水システムの洗浄方法に関する。
【背景技術】
【０００２】
一般家庭の台所におけるゴミの低減、台所の清潔感の向上、及び環境負荷の低減を考慮して、マンション等の集合住宅には、ディスポーザが従来より普及している。一般家庭用のディスポーザは、台所の流し台の下に設置され、水道水と一緒にディスポーザに流入された生ゴミを粉砕し、粉砕した生ゴミを水道水と一緒に下水道に流下できる構造を備えている。
【０００３】
一般家庭用のディスポーザにおいては、ディスポーザ内において高速で回転する回転板により、ディスポーザ内に流入された生ゴミをディスポーザ内壁に向けて飛ばす。続いて、当該回転板の上面縁部分に設置されたハンマー及びディスポーザ内壁に設けられた固定刃によって当該生ゴミを粉砕する。その後、当該回転板の下面に設置されたインペラの回転により、粉砕した生ゴミをディスポーザの排出口から排水システムの配管に向けて排出することになる。
【０００４】
例えば、特許文献１及び２には、一般家庭用のディスポーザの構造、ディスポーザにおける洗浄方法、及びディスポーザを備える排水システムが開示されている。特に、特許文献１においては、回転板によって上下方向に分けられた破砕室及び排出室を連通する空気通路を上方から流入される水道水によって塞ぎ、当該排出室内の空気圧によって当該破砕室内に一時的に水道水を貯留し、ディスポーザを再起動させることによってディスポーザ内を洗浄するとともに、水道水を一気に排水して配管内も洗浄している。
【０００５】
これに対して、特許文献２においては、ディスポーザ又はディスポーザの下流に接続されたＳ字トラップ若しくはサイホン排水管に水道水を供給できる洗浄水貯留タンクを設置している。また、特許文献２においては、ディスポーザの運転終了後に当該洗浄水貯留タンクから水道水を排水する構造が採用されている。これにより、サイホン現象を生じさせるために必要となる水量が不足することがなくなり、容易にサイホン現象を生じさせることが可能になっている。
【先行技術文献】
【特許文献】
【０００６】
【特許文献１】特開２００８−１８４１７号公報
【特許文献２】特開２０１５−２５３４１号公報
【発明の概要】
【発明が解決しようとする課題】
【０００７】
しかしながら、特許文献１に開示されているようなディスポーザにおいては、ディスポーザ内への給水量が少ない場合には上記空気通路を水道水で塞ぎきれなくなり破壊室内に水道水を貯留できず、サイホン現象を利用したディスポーザ及び配管の洗浄が困難になる問題がある。すなわち、サイホン現象が生じない又はサイホン現象が生じるまでの時間がかかることがある。一方、上記空気通路を水道水で塞ぎやすくするために、当該空気通路の寸法を小さくすると、ディスポーザ内への給水量が多い場合に、ディスポーザからシンクに水道水が溢れ出す問題がある。
【０００８】
また、特許文献２に開示されているようなサイホン排水システムにおいては、ディスポーザ又はディスポーザの下流に接続されたＳ字トラップ若しくはサイホン排水管に水道水を供給できる洗浄水貯留タンクを別途設置することから、排水システム自体のコストが増加することになる。更に、洗浄水貯留タンクからの洗浄水の供給タイミング、及び供給量の調整が必要となり、排水システム自体のメンテナンスも容易に行うことが難しい。
【０００９】
本発明はこのような課題に鑑みてなされたものであり、その目的とするところは、コスト低減及びメンテナンスの容易化を図るとともに、サイホン現象を短時間で起こり易くすることができるディスポーザ、排水システム、及び排水システムの洗浄方法を提供することにある。
【課題を解決するための手段】
【００１０】
上述した目的を達成するため、本発明の第１の態様であるディスポーザは、厨芥及び水を導入するための導入部を上部に備えるとともに、前記厨芥及び水を排出する排出部を下部側面に備える筐体と、前記筐体の内部空間を前記導入部側に位置する破砕室、及び前記排出部側に位置する排出室に分ける回転板と、前記回転板に回転駆動力を伝達する駆動部と、前記破砕室側に位置する前記回転板の第１表面に設けられたハンマーと、前記排出室側に位置し、且つ前記第１表面の反対側に位置する前記回転板の第２表面に設けられたインペラと、前記回転板の周囲を離間して囲むように前記筐体の内側側面に設けられた環状の固定歯と、前記排出部に設けられ、前記排出室における水の貯留量及び水の排出量を制御する弁と、を有することである。
【００１１】
第１の態様に係るディスポーザは、排出室における水の貯留量及び水の排出量を制御する弁が排出部に設けられているため、ディスポーザの使用後においても台所における一般的な水作業を行うことにより、サイホン現象に必要となる水を排出室に常に貯留することができる。このような弁の構造及び作用効果によってサイホン現象を短時間で起こり易くすることができる。また、弁という簡易な構造のみによってサイホン現象をより確実且つ短時間で起こすことができるため、ディスポーザのコスト低減及びメンテナンスの容易化を図ることができる。
【００１２】
本発明の第２の態様によれば、上記本発明の第１の態様において、前記弁は前記排出室における水の貯留量が所定量未満の場合には閉じ、水の貯留量が所定量以上になると、水の貯留量の増加にともなって自動的且つ徐々に開くことである。これにより、弁を制御する構造が不要となり、ディスポーザのコスト低減及びメンテナンスの容易化を一層図ることができる。
【００１３】
本発明の第３の態様によれば、上記本発明の第１又は第２の態様において、前記排出部は、前記筐体の下部側面に排出口が形成された構造を備え、前記弁は、前記排出口を開閉するように前記排出口に設けられていることである。これにより、排出室における水の貯留量を多くすることができ、サイホン現象を短時間で起こり易くすることができる。
【００１４】
本発明の第４の態様によれば、上記本発明の第１又は第２の態様において、前記排出部は、前記筐体の下部側面に接続口が形成されるとともに、前記接続口から排出管が延在する構造を備え、前記弁は、前記排出管の内側側面に設けられていることである。これにより、排出室における水の貯留量をより多くすることができ、サイホン現象を短時間で起こり易くすることができる。
【００１５】
上述した目的を達成するため、本発明の第５の態様である排水システムは、厨芥及び水を導入するための導入部を上部に備えるとともに、前記厨芥及び水を水平方向に排出する排出部を下部側面に備える筐体と、前記筐体の内部空間を前記導入部側に位置する破砕室、及び前記排出部側に位置する排出室に分ける回転板と、前記回転板に回転駆動力を伝達する駆動部と、前記破砕室側に位置する前記回転板の第１表面に設けられたハンマーと、前記排出室側に位置し、且つ前記第１表面の反対側に位置する前記回転板の第２表面に設けられたインペラと、前記回転板の周囲を離間して囲むように前記筐体の内側側面に設けられた環状の固定歯と、前記筐体の排出部にその一端が接続された接続管と、前記接続管の他端に接続された排水トラップと、前記接続管の内側側面に設けられ、前記排出室における水の貯留量及び水の排出量を制御する弁と、を有することである。
【００１６】
第５の態様に係る排水システムは、排出室における水の貯留量及び水の排出量を制御する弁が接続管の内側側面に設けられているため、排水システムの使用後においても台所における一般的な水作業を行うことにより、サイホン現象に必要となる水を排出室に常に貯留することができる。このような弁の構造及び作用効果によってサイホン現象を短時間で起こり易くすることができる。また、弁という簡易な構造のみによってサイホン現象をより確実且つ短時間で起こすことができるため、排水システムのコスト低減及びメンテナンスの容易化を図ることができる。
【００１７】
本発明の第６の態様によれば、上記本発明の第５の態様において、前記弁は、前記排出室における水の貯留量が所定量未満の場合には閉じ、水の貯留量が所定量以上になると、水の貯留量の増加にともなって自動的且つ徐々に開くことである。これにより、弁を制御する構造が不要となり、排水システムのコスト低減及びメンテナンスの容易化を一層図ることができる。
【００１８】
上述した目的を達成するため、本発明の第７の態様である排水システムの洗浄方法は、ディスポーザ、前記ディスポーザの下流に設けられた排水トラップ、及び前記排水トラップの下流に設けられたサイホン配管を備える排水システムの洗浄方法であって、前記ディスポーザを構成する筐体の上部に形成された導入部から水を導入する水導入工程と、前記筐体、前記筐体の内部空間に設けられた回転板、及び前記筐体の下部側面に形成された排出部又は前記排出部と前記排水トラップとの間に設けられた弁によって囲まれた貯留空間に、前記水導入工程において導入した水を貯留する水貯留工程と、前記回転板を回転させ、前記貯留空間側に位置する回転板の表面に設けられたインペラによって貯留した水を撹拌し、貯留した水に遠心力を加える撹拌工程と、前記遠心力によって貯留した水を前記排出部、前記トラップ、及び前記サイホン配管を経由して排出する排出工程と、を有することである。
【００１９】
第７の態様に係る排水システムの洗浄方法は、排出部又は排出部と排水トラップとの間に設けられた弁を用いて水貯留工程が行われるため、サイホン現象に必要となる水を排出室に常に貯留することができる。このような水貯留工程によってサイホン現象を短時間で起こり易くすることができる。また、弁という簡易な構造のみによってサイホン現象をより確実且つ短時間で起こすことができるため、排水システムの洗浄方法自体のコスト低減を図りつつも容易に行うことが可能になる。
【００２０】
本発明の第８の態様によれば、上記本発明の第７の態様において、前記弁は、前記貯留空間における水の貯留量が所定量未満の場合には閉じ、前記貯留空間における水の貯留量が所定量以上になると、水の貯留量の増加にともなって自動的且つ徐々に開くことである。これにより、弁を制御する構造が不要となり、排水システムの洗浄方法自体のコスト低減を一層図りつつも当該洗浄方法を一層容易に行うことが可能になる。
【発明の効果】
【００２１】
本発明によれば、コスト低減及びメンテナンスの容易化を図るとともに、サイホン現象を短時間で起こり易くすることができるディスポーザ、排水システム、及び排水システムの洗浄方法を提供することができる。
【図面の簡単な説明】
【００２２】
【図１】実施例に係る排水システムの概略構成図である。
【図２】実施例に係るディスポーザ付近の拡大概略構成図である。
【図３】（ａ）は実施例に係るディスポーザ内に設けられる弁の閉じた状態の正面図であり、（ｂ）は実施例に係るディスポーザ内に設けられる弁の閉じた状態の側面図である。
【図４】（ａ）は実施例に係るディスポーザ内に設けられる弁の開いた状態の正面図であり、（ｂ）は実施例に係るディスポーザ内に設けられる弁の開いた状態の側面図である。
【図５】実施例に係る排水システムの洗浄工程を説明するための拡大概略構成図である。
【図６】実施例に係る排水システムの洗浄工程を説明するための拡大概略構成図である。
【図７】実施例に係る排水システムの洗浄工程を説明するための拡大概略構成図である。
【図８】変形例に係る排水システムの拡大概略構成図である。
【図９】変形例に係る排水システムの拡大概略構成図である。
【発明を実施するための形態】
【００２３】
以下、図面を参照しながら、本発明のディスポーザ及び排水システムについて詳細に説明する。なお、本発明は以下に説明する内容に限定されるものではなく、その要旨を変更しない範囲において任意に変更して実施することが可能である。また、実施例及び各変形例の説明に用いる図面は、いずれも本発明に係るディスポーザ及び排水システムを模式的に示すものであって、理解を深めるべく部分的な強調、拡大、縮小、又は省略等を行っており、各構成部分の縮尺や形状等を正確に表すものとはなっていない場合がある。更に、実施例及び各変形例で用いる一部の数値は、いずれも一例を示すものであり、必要に応じて様々に変更することが可能である。
【００２４】
＜実施例＞
先ず、図１乃至図４を参照し、実施例に係る排水システム及びこれに用いられるディスポーザについて詳細に説明する。ここで、図１は本実施例に係る排水システムの概略構成図であり、図２は実施例に係る排水システムに組み込まれるディスポーザ近傍における拡大概略構成図である。また、図３（ａ）は本実施例に係るディスポーザ内に設けられる弁の閉じた状態の正面図であり、図３（ｂ）は本実施例に係るディスポーザ内に設けられる弁の閉じた状態の側面図である。更に、図４（ａ）は本実施例に係るディスポーザ内に設けられる弁の開いた状態の正面図であり、図４（ｂ）は本実施例に係るディスポーザ内に設けられる弁の開いた状態の側面図である。
【００２５】
本実施例に係る排水システム１０は、マンション等の集合住宅の各住居に用いられる。図１に示すように、図１に示すように、排水システム１０は、水道蛇口１１が設置されているシンク１２、シンク１２の下方に配設されたディスポーザ１３、ディスポーザ１３の下流に位置するＳ字配管１４、及びＳ字配管１４の下流に位置するサイホン配管１５を有している。このような構造により、本実施例に係る排水システム１０は、サイホン現象を利用して各家庭における台所の排水を行うことになる。
【００２６】
なお、本明細書において、上下方向とは鉛直方向であるため、上方とは地面から遠ざかる方向における位置であり、下方とは地面に近づく方向における位置である。また、本明細書において、水道水はシンク１２からサイホン配管１５を経由して下水道に向って流れるため、上流とはよりシンク１２側に近づく位置であり、下流とはよりサイホン配管１５側に近づく位置である。
【００２７】
水道蛇口１１は、水道管（図示せず）が接続されており、水道蛇口１１を操作することにより、シンク１２内に水道水を注ぐことができる。また、図１から分かるように、シンク１２の底面１２ａには開口１２ｂが形成されており、開口１２ｂにディスポーザ１３が接続されている。
【００２８】
図１及び図２から分かるように、ディスポーザ１３は、本体部分となる筐体２１、及び導入された厨芥を筐体２１内で粉砕するために必要となる回転駆動力を発生させる駆動部２２を有している。筐体２１は、シンク１２から厨芥及び水を内部に導入可能にするための導入部２１ａを上部に備えるとともに、粉砕した厨芥及び水を排出する排出部２１ｂを下部側面に備えている。本実施例においては、ディスポーザ１３の上流側であってシンク１２と接続する部分に導入部２１ａとして機能する筒状の開口が形成され、ディスポーザ１３の下流側であってＳ字配管１４と接続する部分に排出部２１ｂとして機能する円形の開口（すなわち、排出口）が形成されている。
【００２９】
ここで、排出部２１ｂである排出口の形成位置は、筐体２１の下部側面であることが重要となる。これは、筐体２１内の後述する回転板及びインペラの回転に遠心力を利用して水道水を筐体２１から水平方向に排出するためである。すなわち、排出部２１ｂである排出口の形成位置は、本実施例に係る排水システム１０及びディスポーザ１３の排水機能及びその作用の観点から、筐体２１の底面ではなく、筐体２１の下部側面となる。
【００３０】
図１に示すように、筐体２１の導入部２１ａには、蓋スイッチ２３が設置されている。ディスポーザ１３内に厨芥及び水を導入する場合には、蓋スイッチ２３を外すことになる。そして、ディスポーザ１３を駆動する場合には、蓋スイッチ２３を導入部２１ａに嵌め込みつつ蓋スイッチ２３を回転させて所望の向きに合わせ、ディスポーザ１３をオン状態に移行させる。なお、蓋スイッチ２３に開口を設けたり、或いは蓋スイッチ２３と導入部２１ａとの間に隙間を形成することにより、導入部２１ａに蓋スイッチ２３が設置された状態であっても水道水をディスポーザ１３内に導入することが可能になっている。
【００３１】
図２に示すように、筐体２１の略円柱状の内部空間には、円盤状の回転板２４が設けられている。回転板２４は、筐体２１の中央部よりも下方において、筐体２１の内側側面２１ｃから離間しつつ、筐体２１の内部底面２１ｄと平行となるように設けられている。すなわち、回転板２４の直径は、筐体２１の内部空間の直径よりも小さい。このような回転板２４の配置により、筐体２１の内部空間は、上下方向において、導入部２１ａ側に位置する破砕室２５と、排出部２１ｂ側に位置する排出室２６とに分けられている。ここで、破砕室２５と排出室２６とは、回転板２４と筐体２１の内側側面２１ｃとの間の隙間によって連通していることになる。
【００３２】
また、図２に示すように、破砕室２５側に位置する回転板２４の第１表面２４ａの縁部分には、導入された厨芥を粉砕するためのハンマー２７が複数設けられている。一方、排出室２６側に位置する回転板２４の第２表面２４ｂには、排出室２６に貯留された水道水及び粉砕された厨芥を排出するためのインペラ２８が複数設けられている。更に、回転板２４の周囲を離間して囲むように、筐体２１の内側側面２１ｃには、導入された厨芥を粉砕するための環状の固定歯３１が設けられている。
【００３３】
そして、図２に示すように、筐体２１の排出部２１ｂには、弁３２が設けられている。より具体的に、弁３２は、筐体２１の排出部２１ｂとして機能する円形の開口を塞ぐように配置されている。このように弁３２が設けられることにより、弁３２の上流である排出室２６に水道水を貯留することができる。
【００３４】
図３に示すように、弁３２は、排出部２１ｂとして機能する円形の開口を塞ぐため、略円盤状の形状を有している。また、弁３２は、排出部２１ｂにおける筐体２１に対して接触して固定される環状の固定部３２ａ、及び固定部３２ａによって囲まれた内側領域に形成された開閉部３２ｂから構成されている。更に、開閉部３２ｂは、切り込みによって２分割されており、加わる水圧値が所定値未満であれば開閉部３２ｂは閉じた状態となり（図３（ａ）、（ｂ））、加わる水圧値が所定値以上になると開閉部が徐々に開く（図４（ａ）、（ｂ））。特に、弁３２が開いた状態は、弁３２の中央部分が大きく開き、弁３２の縁部分に向うにつれて小さく開く。
【００３５】
従って、本実施例における弁３２は、排出室２６における水道水の貯留量が所定量未満の場合には閉じることになり、水道水の貯留量が所定量以上になると、水道水の貯留量の増加にともなって自動的且つ徐々に開くことになる。換言すると、弁３２は、排出室２６における水道水の貯留量及び水道水の排出量を制御することになる。
【００３６】
なお、弁３２の材料は、上記開閉を行うことができれば種々の材料を用いることができるが、例えば樹脂から形成してもよい。また、弁３２の材料及び材質は、排出室２６に貯留すべき水道水の貯留量、及びサイホン現象を短時間で起こり易くするために必要となる水道水の排出量によって適宜決定することもできる。すなわち、弁３２の材料及び材質は、ディスポーザ１３の寸法、排出室２６の寸法、Ｓ字配管の寸法、及びサイホン配管１５の寸法等の排水システム１０の各種寸法に応じて適宜決定することができる。更に、弁３２の形状は、図３及び図４に示されたものに限定されることなく、上記開閉を行うことができれば種々の形状を採用することができる。
【００３７】
図２に示すように、駆動部２２は、モータ２２ａ及びモータ２２ａの回転駆動力を回転板２４に伝達する駆動軸２２ｂから構成されている。駆動部２２は、固定部材３３によって筐体２１の下方に固着されている。また、駆動軸２２ｂは、筐体２１の底部を貫通する貫通孔を通り、回転板２４に接続されている。なお、駆動軸２２ｂは、その内部に回転する回転体（図示せず）が設けられており、当該回転体の周りを離間して被覆するように被覆部材（図示せず）が設けられている。これにより、当該被覆部材が筐体２１に接触し、貫通孔から水道水が漏れ出さなくなり、更にはモータ２２ａの駆動力が阻害されることなく回転板２４に伝達されることになる。
【００３８】
なお、駆動部２２の構造及び配設位置は、上述したものに限定されることなく、回転板２４を確実に回転させ、且つは筐体２１から水道水が漏れ出さなければ、他の構造を採用したり、他の領域に設置してもよい。
【００３９】
図１に示すように、Ｓ字配管１４の一端は、ディスポーザ１３の排出部２１ｂにおいて筐体２１と接続しており、他端が室内床３４と床スラブ３５との間に形成された空間においてサイホン配管１５と接続している。Ｓ字配管１４は、筐体２１の排出部２１ｂから水平方向に延在する水平部１４ａ、水平部１４ａの下流において水平方向から鉛直方向に屈曲した第１エルボ部１４ｂ、第１エルボ部１４ｂの下流に配置されたＳ字状の排水トラップ１４ｃ、及び排水トラップ１４ｃから鉛直方向に延在する鉛直部１４ｄ、鉛直部１４ｄの下流において鉛直方向から水平方向に屈曲した第２エルボ部１４ｅから構成されている。
【００４０】
このようなＳ字配管１４のトラップ構造により、排水トラップ１４ｃに水道水が常時存在することになり、下水道の悪臭及び各種のガスを遮断し、更には衛生害虫及びネズミ等が屋内に侵入することを防止している。なお、水平部１４ａは、筐体２１の排出部２１ｂと排水トラップ１４ｃとを接続する接続管として機能している。
【００４１】
図１に示すように、サイホン配管１５は、Ｓ字配管１４の第２エルボ部１４ｅに一端が接続して水平方向に延在するサイホン水平管１５ａ、サイホン水平管１５ａの他端に接続されたエルボ管１５ｂ、エルボ管１５ｂから鉛直方向に延在するサイホン垂直管１５ｃから構成されている。サイホン水平管１５ａは、室内床３４と床スラブ３５との間の空間において、室内床３４及び床スラブ３５と平行に延在している。すなわち、サイホン水平管１５ａは無勾配で設置されている。これにより、本実施例１０の排水システム１０においては、床下高さを小さくすることができている。また、サイホン垂直管１５ｃは、鉛直方向に延在する集合住宅の共通排水管（図示せず）に接続している。
【００４２】
このようなサイホン配管１５の構造によれば、サイホン水平管１５ａからエルボ管１５ｂを経由してサイホン垂直管１５ｃに水道水が流れると、当該水道水がサイホン垂直管１５ｃにおいて自重落下することになり、サイホン現象が生じることになる。当該サイホン現象が生じると、Ｓ字配管１４、サイホン水平管１５ａ、エルボ管１５ｂ、及びサイホン垂直管１５ｃにおける排水が誘導され、上述した集合住宅の共通排水管への排水が促進されることになる。
【００４３】
次に、図５乃至図７を参照しつつ、本実施例に係る排水システムの洗浄方法につて、詳細に説明する。ここで、図５乃至図７は、図２と同様して示す、本排水システムの洗浄工程を説明するための拡大概略構成図である。
【００４４】
先ず、ディスポーザ１３が停止した状態において、シンク１２から筐体２１の導入部２１ａを介して水道水を筐体２１の内部空間に導入する（図５：水導入工程）。例えば、水導入工程は、排水システム１０を洗浄するためのだけに行われても良いが、一般的にはシンク１２において食器又は食材を洗うことによって水道水が使用されることで水導入工程が行われることになる。すなわち、台所における一般的な水作業が行われることにより、水導入工程が行われることになる。
【００４５】
次に、筐体２１、回転板２４、及び排出部２１ｂに設けられた弁３２によって囲まれた貯留空間である排出室２６に、水導入工程において導入した水道水が貯留される（図６：水貯留工程）。より具体的には、導入された水道水が回転板２４に到達し、更には回転板２４と筐体２１の側面とにおける隙間を通過することにより、導入された水道水が排出室２６に到達して貯留することになる。ここで、水道水の貯留量は、できる限り多い方がよく、多すぎる場合であっても、弁３２が水圧に応じて自動的に開くことにより、水道水がシンク１２にあふれ出すことはない。また、１回の水道水の供給量が少ない場合であっても、弁３２が閉じた状態を維持することになり、シンク１２において食器又は食材を洗う等の一般的な台所作業を行うことによって複数回の水導入工程が行われ、基本的には排出室２６を完全に浸すように水道水が常時貯留されることになる。なお、弁３２の開閉特性を調整することにより、排出室２６を水道水によって完全に浸す前に弁３２を開弁させ、排出室２６における水道水の貯留量を調整してもよい。
【００４６】
次に、ディスポーザ１３の蓋スイッチ２３を所望の位置に合わせることにより、ディスポーザ１３を駆動させる。これにより、駆動部２２が駆動して回転板２４を回転させ、インペラ２８によって貯留した水道水を撹拌し、貯留した水道水に遠心力を加える（図７：撹拌工程）。そして、当該遠心力によって貯留した水道水を排出部２１ｂ、Ｓ字配管１４、サイホン配管１５を経由して一気に排出する（図７：排出工程）。これにより、サイホン水平管１５ａ内の水道水の流速を上げてサイホン垂直管１５ｃに水道水を流すことができ、サイホン現象が短時間で起こすことが可能になる。そして、サイホン現象が生じることにより、サイホン配管１５に残留しているディスポーザ１３の破砕物を洗い流すことができ、排水システム１０の洗浄を良好に行うことができる。
【００４７】
本実施例に係る排水システム１０及びディスポーザ１３は、排出室２６における水道水の貯留量及び水道水の排出量を制御する弁３２が排出部２１ｂに設けられている。このため、ディスポーザ１３の使用後においても台所における一般的な水作業を行うことにより、サイホン現象に必要となる水道水を排出室２６に常に貯留することができる。すなわち、このような弁３２の構造及び作用効果によってサイホン現象を短時間で起こり易くすることができる。また、弁３２という簡易な構造のみによってサイホン現象をより確実且つ短時間で起こすことができるため、排水システム１０及びディスポーザ１３のコスト低減及びメンテナンスの容易化を図ることができる。
【００４８】
更に、本実施例に係る弁３２は排出室３６における水道水の貯留量が所定量未満の場合には閉じ、水道水の貯留量が所定量以上になると、水道水の貯留量の増加にともなって自動的且つ徐々に開く。これにより、弁３２を制御する構造が不要となり、排水システム１０及びディスポーザ１３のコスト低減及びメンテナンスの容易化を一層図ることができる。
【００４９】
なお、本実施例においては、弁３２が水圧に応じて自動的に開閉するようにしていたが、電子制御又は機械的な制御によって開閉することができる弁を設けても良い。更に、当該電子制御を行う場合には、排出室２６内の貯水量をセンサ等によって検出し、当該検出結果に応じて弁の開閉制御を行っても良い。また、筐体２１の下部側面には排出口である排出部２１ｂが形成され、筐体２１自体が水平方向に突出していなかったが、当該下部側面から水平方向に筐体２１が突出するように排出管が形成され、筐体２１（すなわち、ディスポーザ１３）の一部である当該排出管に対してＳ字配管１４が接続されていてもよい。
【００５０】
＜変形例＞
上述した実施例において、弁３２は筐体２１の下部側面に設けられた排出部２１ｂである排出口に設けられていたが、筐体２１の下部側面よりも下流に設けても良く、図８及び図９に示すような位置に設けても良い。ここで、図８及び図９は、図２と同様にして示す、変形例に係る排水システムの拡大概略構成図である。なお、図８及び図９においては、上述した実施例と同一の構成については同一の符号を付しており、その説明は省略するものとする。
【００５１】
図８に示す変形例においては、筐体２１の下部側面に開口である接続口４１が形成され、更には接続口４１から排出管４２が延在している。すなわち、図８に示す変形例においては、筐体２１の排出部は、接続口４１及び排出管４２からなる構造を備えている。そして、排出管４２の一端には、Ｓ字配管１４の水平部１４ａが接続されている。
【００５２】
図８に示す変形例においては、弁３２が排出管４２の内側側面に設けられている。従って、図８に示す変形例においては、排出室２６及び弁３２よりも上流の排出管４２の内部領域からなる貯留空間に水道水が貯留されることになる。すなわち、図８に示す変形例においては、水道水を貯留するための貯留空間が上述した実施例と異なり、排出管４２の分だけ大きくなっている。
【００５３】
また、図９に示す変形例においては、弁３２がＳ字配管１４内に設けられている。すなわち、弁３２は、ディスポーザ１３内に設置されることに限定されず、ディスポーザ１３の下流に位置する配管に設置されてもよい。従って、図９に示す変形例においては、排出室２６及び弁３２よりも上流のＳ字配管１４の一部の内部領域からなる貯留空間に水道水が貯留されることになる。すなわち、図９に示す変形例においては、水道水を貯留するための貯留空間が上述した実施例と異なり、Ｓ字配管１４の一部分の領域の広さだけ大きくなっている。
【００５４】
このような変形例の場合であっても、当該貯留空間に最適な量の水道水を貯留することができるとともに、インペラ２８の回転に伴う遠心力によって貯留した水道水を一気に排出して、サイホン現象を短時間で容易に発生させて、排水システムの洗浄を良好に行うことができる。
【符号の説明】
【００５５】
１０    排水システム
１１    水道蛇口
１２    シンク
１２ａ    底面
１２ｂ    開口
１３    ディスポーザ
１４    Ｓ字配管
１４ａ    水平部（接続管）
１４ｂ    第１エルボ部
１４ｃ    排水トラップ
１４ｄ    鉛直部
１４ｅ    第２エルボ部
１５    サイホン配管
１５ａ    サイホン水平管
１５ｂ    エルボ管
１５ｃ    サイホン垂直管
２１    筐体
２１ａ    導入部
２１ｂ    排出部（排出口）
２１ｃ    内側側面
２１ｄ    内部底面
２２    駆動部
２２ａ    モータ
２２ｂ    駆動軸
２３    蓋スイッチ
２４    回転板
２４ａ    第１表面
２４ｂ    第２表面
２５    破砕室
２６    排出室
２７    ハンマー
２８    インペラ
３１    固定歯
３２    弁
３２ａ    固定部
３２ｂ    開閉部
３３    固定部材
３３    室内床
３４    床スラブ
４１    接続口
４２    排出管
【図１】
2018187571.tif 000003
【図２】
2018187571.tif 000004
【図３】
2018187571.tif 000005
【図４】
2018187571.tif 000006
【図５】
2018187571.tif 000007
【図６】
2018187571.tif 000008
【図７】
2018187571.tif 000009
【図８】
2018187571.tif 000010
【図９】
2018187571.tif 000011